(57)【要約】【課題】  建物の鈍角部に簡単に組立形成できる安全な連結枠組足場を提供することである。【解決手段】  連結枠組足場１は、複数の枠組足場２、３が連結用建枠ユニット４で長さ方向に連続して接続され、この連結用建枠ユニット４は、一方の建枠の建地１１の一つに、回転自在に他方の建枠１２が取り付けられてなり、一方または他方の建枠１１、１２の横パイプ８に回転自在に取り付けた連結板の６一部が、片方の枠組足場２、３の布板９上に設置されたものである。【選択図】図１
2005307505.tif 000002
【特許請求の範囲】
【請求項１】
複数の枠組足場が連結用建枠ユニットで長さ方向に連続して接続され、この連結用建枠ユニットは、一方の建枠の建地の一つに、回転自在に他方の建枠が取り付けられてなり、一方または他方の建枠の横パイプに回転自在に取り付けた連結板の一部が、片方の枠組足場の布板上に設置されたことを特徴とする連結枠組足場。
【請求項２】
連結用建枠ユニットにおける二つの建枠の建地には、これら建枠の開き角度を調整する伸縮自在な調整パイプが掛け渡されたことを特徴とする請求項１に記載の連結枠組足場。
【発明の詳細な説明】
【技術分野】
【０００１】
本発明は、構築する建物の外周に沿って組み立てられる連結枠組足場に関するものである。
【背景技術】
【０００２】
建物を構築する際には、その外部に枠組足場を組立形成するが、鈍角部のある建物２４の場合の外部足場２５は、図６に示すように、二つの枠組足場２６、２７を所定の角度、すなわち隙間２８をもって接合し、その隙間２８を布板２９で埋めていた。また、その他の枠組足場としては、例えば特開平８−２５４０１２号の発明が知られている。
【特許文献１】特開平８−２５４０１２号公報
【発明の開示】
【発明が解決しようとする課題】
【０００３】
しかし、上記の枠組足場は、隙間を埋める布板の設置に手間がかかる他、布板の厚みが段差になるため、つまずきの原因になって危険であった。
【０００４】
本発明は、上記のような問題に鑑みてなされたものであり、その目的は、建物の鈍角部に簡単に組立形成できる安全な連結枠組足場を提供することである。
【課題を解決するための手段】
【０００５】
以上の課題を解決するための連結枠組足場は、複数の枠組足場が連結用建枠ユニットで長さ方向に連続して接続され、この連結用建枠ユニットは、一方の建枠の建地の一つに、回転自在に他方の建枠が取り付けられてなり、一方または他方の建枠の横パイプに回転自在に取り付けた連結板の一部が、片方の枠組足場の布板上に設置されたことを特徴とする。また連結用建枠ユニットにおける二つの建枠の建地には、これらの建枠の開き角度を調整する伸縮自在な調整パイプが掛け渡されたことを含むものである。
【発明の効果】
【０００６】
複数の枠組足場が連結用建枠ユニットで長さ方向に接続することができるため、連結枠組足場の組立が簡単にできる。また連結用建枠ユニットは、所定の角度に開いた状態で自立させることができるので、作業者が一人であっても、連結枠組足場を簡単に組立することができる。二つの枠組足場の隙間を、横パイプに回転自在に取り付けた連結板で埋めることができるので、床の段差がなくなって安全性が向上する。また伸縮自在な調整パイプによって、連結用建枠ユニットの開き角度を任意に調整することができるので、様々な鈍角部に対応することができる。
【発明を実施するための最良の形態】
【０００７】
以下、本発明の連結枠組足場の実施の形態を図面に基づいて説明する。この連結枠組足場１は、図１に示すように、二つの枠組足場２、３が連結用建枠ユニット４で長さ方向に接続され、この連結用建枠ユニット４の隙間５が連結板６で埋められて構成されている。
【０００８】
この連結板６は、平面扇形の一辺が回転金具７で横パイプ８に取り付けられ、この横パイプ８を中心に回転する。したがって、通常は、図２の（１）に示すように、横パイプ８に垂直に吊り下がった状態になっているが、連結用建枠ユニット４の隙間５を埋める場合には、同図の（２）に示すように回転して、その一部が片方の枠組足場３の布板９上に設置される。
【０００９】
また連結用建枠ユニット４は、図２に示すように、一本の建地１０を軸にして二つの建枠１１、１２が、蝶番のように開閉できるようになっている。この一方の建枠１１の建地１０に、連結パイプ１３が差し込まれ、この連結パイプ１３に取り付けられた回転子１４には、他方の建枠１２の横パイプ１５が接合されている。また、一方の建枠１１の補強パイプ１６に取り付けられた回転子１４には、他方の建枠１２における補強パイプの横パイプ１５が接合されている（図３及び図４参照）。よって、一方の建枠の建地１０を軸にして、他方の建枠１２が任意に回転できるようになっている。
【００１０】
また二つの建枠１１、１２の他の建地１７、１８には、これら建枠１１、１２の開き角度を調整する調整パイプ１９が掛け渡され、この調整パイプ１９が、図５に示すように、伸縮自在になっている。この調整パイプ１９における小径パイプ２０と中径パイプ２１の伸び縮みが、中径パイプ２１および大径パイプ２２のロックピン２３でそれぞれ規制されて、建枠１１、１２の開き角度が調整される。したがって、建物の鈍角部の角度に応じた角度をもって枠組足場２、３を連結することができる。
【００１１】
この連結枠組足場１の組立方法について説明する。まず、図１に示すように、連結用建枠ユニット４を所定の角度、すなわち建物の鈍角部に応じた角度に開いて自立させるとともに、連結板６を回転させて垂直に立てた状態にする。なお、この連結用建枠ユニット４の開き角度は、調整パイプ１９で調整する。
【００１２】
次に、連結用建枠ユニット４の建枠１１、１２、すなわち一方の建枠１１と他方の建枠１２に、これらと対になる建枠１１ａ、１２ａを連結する。そして、これらの建枠１１、１１ａ、１２、１２ａに布板９を設置すると、連結用建枠ユニット４で接続された連結枠組足場１が組立形成される。
【図面の簡単な説明】
【００１３】
【図１】連結枠組足場の斜視図である。
【図２】（１）は連結用建枠ユニットの斜視図、（２）は連結板の断面図である。
【図３】軸になる建地と他の建枠の横パイプとの連結部を示したものであり、（１）は縦断面図、（２）は横断面図である。
【図４】軸になる建地と他の建枠の補強パイプとの連結部を示したものであり、（１）は縦断面図、（２）は横断面図である。
【図５】調整パイプを示したものであり、（１）は正面方向の断面図、（２）は平面方向の断面図である。
【図６】従来の連結枠組足場の平面図である。
【符号の説明】
【００１４】
１  連結枠組足場
２、３、２６、２７  枠組足場
４  連結用建枠ユニット
５、２８  隙間
６  連結板
７  回転金具
８、１５  横パイプ
９、２９  布板
１０、１７、１８  建地
１１、１１ａ、１２、１２ａ  建枠
１３  連結パイプ
１４  回転子
１６  補強パイプ
１９  調整パイプ
２０  小径パイプ
２１  中径パイプ
２２  大径パイプ
２３  ロックピン
２４  建物
２５  外部足場
【図１】
2005307505.tif 000003
【図２】
2005307505.tif 000004
【図３】
2005307505.tif 000005
【図４】
2005307505.tif 000006
【図５】
2005307505.tif 000007
【図６】
2005307505.tif 000008